(57)【特許請求の範囲】
【請求項１】
複数の受信チャンネルをスキャンした後に通信を開始し、当該通信において受信した受信信号から電波ノイズ源で発生したノイズ信号を除去する通信装置であって、
各受信チャンネルに対応して、通信用アンテナが備えられたカバー部の開き角度に対応付けて、当該受信チャンネルごとに予め決められたノイズキャンセル用パラメータをパラメータテーブルに格納するパラメータ格納手段と、
受信を開始しようとしている受信チャンネルおよび前記カバー部の開き角度に対応するノイズキャンセル用パラメータを前記パラメータテーブルから読み出すパラメータ読出手段と、
前記パラメータ読み出し手段によって読み出された前記ノイズキャンセル用パラメータを用いて、前記受信信号からノイズ信号を除去するノイズ除去手段と、
を備えることを特徴とする通信装置。
【請求項２】
前記パラメータテーブルに格納されたノイズキャンセル用パラメータを通信エラーが少なくなるように、更新するパラメータ更新手段をさらに備えることを特徴とする請求項１に記載の通信装置。
【請求項３】
複数の受信チャンネルをスキャンした後に通信を開始し、当該通信において受信した受信信号から電波ノイズ源で発生したノイズ信号を除去するノイズキャンセラであって、
各受信チャンネルに対応して、通信用アンテナが備えられたカバー部の開き角度に対応付けて、当該受信チャンネルごとに予め決められたノイズキャンセル用パラメータをパラメータテーブルに格納するパラメータ格納手段と、
受信を開始しようとしている受信チャンネルおよび前記カバー部の開き角度に対応するノイズキャンセル用パラメータを前記パラメータテーブルから読み出すパラメータ読出手段と、
前記パラメータ読出手段によって読み出された前記ノイズキャンセル用パラメータを用いて、前記受信信号からノイズ信号を除去するノイズ除去手段と、
を備えることを特徴とするノイズキャンセラ。
【請求項４】
複数の受信チャンネルをスキャンした後に通信を開始し、当該通信において受信した受信信号から電波ノイズ源で発生したノイズ信号を除去するノイズ除去方法であって、
各受信チャンネルに対応して、通信用アンテナが備えられたカバー部の開き角度に対応付けて、当該受信チャンネルごとに予め決められたノイズキャンセル用パラメータをパラメータテーブルに格納するパラメータ格納ステップと、
受信を開始しようとしている受信チャンネルおよび前記カバー部の開き角度に対応するノイズキャンセル用パラメータを前記パラメータテーブルから読み出すパラメータ読出ステップと、
前記パラメータ読出ステップによって読み出された前記ノイズキャンセル用パラメータを用いて、前記受信信号からノイズ信号を除去するノイズ除去ステップと、
を含んだことを特徴とするノイズ除去方法。
【請求項５】
複数の受信チャンネルをスキャンした後に通信を開始し、当該通信において受信した受信信号から電波ノイズ源で発生したノイズ信号を除去するノイズ除去方法をコンピュータに実行させるノイズ除去プログラムであって、
各受信チャンネルに対応して、通信用アンテナが備えられたカバー部の開き角度に対応付けて、当該受信チャンネルごとに予め決められたノイズキャンセル用パラメータをパラメータテーブルに格納するパラメータ格納手順と、
受信を開始しようとしている受信チャンネルおよび前記カバー部の開き角度に対応するノイズキャンセル用パラメータを前記パラメータテーブルから読み出すパラメータ読出手順と、
前記パラメータ読出手順によって読み出された前記ノイズキャンセル用パラメータを用いて、前記受信信号からノイズ信号を除去するノイズ除去手順と、
をコンピュータに実行させることを特徴とするノイズ除去プログラム。
【発明の詳細な説明】
【技術分野】
【０００１】
この発明は、複数の受信チャンネルをスキャンした後に通信を開始し、当該通信において受信した受信信号から電波ノイズ源で発生したノイズ信号を除去する通信装置、ノイズキャンセラ、ノイズ除去方法およびノイズ除去プログラムに関する。
【背景技術】
【０００２】
従来、Ｗ−ＣＤＭＡ、ＷＬＡＮ、ワンセグ等の無線インタフェースの搭載された通信装置（例えば、携帯電話やノートパソコン）において、無線インタフェースを利用するにあたって、本体内部からの電波ノイズが無線モジュールのアンテナに飛び込み、伝送帯域が劣化したり、通信が途絶える障害が問題となっている。
【０００３】
近年では、ノイズ源の近くから電波ノイズを拾い、当該電波ノイズを受信信号からキャンセルするアナログチップが出現している（例えば、特許文献１参照）。例えば、電波ノイズを受信信号からキャンセルする方式として、図１１に例示するように、ノイズ源からの電波ノイズを受信信号に逆相に加算することにより電波ノイズをキャンセルする方法が知られている（特許文献２参照）。
【０００４】
つまり、図１１の例では、ＧＰＳ受信モジュールから出力される通信品質データを最高に持っていくように、Ｉ，Ｑ信号を合わせ込み、逆相ノイズを加算することで電波ノイズを除去する。そして、通信開始後には、モジュールから出力される通信品質データ（例えば、ＢＥＲ（Ｂｉｔ  Ｅｒｒｏｒ  Ｒａｔｅ））が最適となるように、Ｉ，Ｑ信号を適応させつつ合わせこんで、電波ノイズを除去する。
【０００５】
また、特許文献３では、受信チャンネルに応じて、ノイズを除去する技術が開示されている。具体的には、テレビジョン受像機は、受信画像の画質を受信チャンネルごとに最適化するために、チャンネルごとに映像低減回路を動作するか不動作にするかを予め決め、選局された受信チャンネルに応じて雑音低減回路を制御する。
【０００６】
【特許文献１】特開２００４−２３６１７１号公報
【特許文献２】特開平８−３３５９１５号公報
【特許文献３】特開平２−２３３０２６号公報
【発明の開示】
【発明が解決しようとする課題】
【０００７】
ところで、上記した電波ノイズを受信信号に逆相に加算することにより電波ノイズをキャンセルする技術では、例えばＷ−ＣＤＭＡやＷｉＭＡＸのように、通信開始時に複数の受信チャンネルを短時間でスキャンして基地局からの受信信号を受信する場合に、基地局が遠い場所にあるため受信信号が減衰して相対的にノイズ信号が過大な状態となり、基地局からの受信信号を受信することができず、通信が開始されないという課題があった（図１２参照）。
【０００８】
さらに、通信が開始されない場合には、通信品質データを得ることもできないので、Ｉ，Ｑ信号を適応させることもできず、その後も通信が開始できないという課題があった。
【０００９】
また、上記した特許文献３では、受信画像の画質を受信チャンネルに応じて、最適化するのみで、上記同様に、基地局が遠い場所では受信信号が減衰して相対的にノイズ信号が過大な状態では、基地局からの受信信号を受信することができず、通信が開始されないという課題があった。
【００１０】
そこで、この発明は、上述した従来技術の課題を解決するためになされたものであり、基地局から遠く離れた場所で受信信号が減衰して相対的にノイズ信号が過大な状態であっても、ノイズ信号を最適に除去し、受信チャンネルをスキャンして通信を開始することを目的とする。
【課題を解決するための手段】
【００１１】
上述した課題を解決し、目的を達成するため、この装置は、複数の受信チャンネルをスキャンした後に通信を開始し、当該通信において受信した受信信号から電波ノイズ源で発生したノイズ信号を除去する通信装置であって、各受信チャンネルに対応して、通信用アンテナが備えられたカバー部の開き角度に対応付けて、当該受信チャンネルごとに予め決められたノイズキャンセル用パラメータをパラメータテーブルに格納するパラメータ格納手段と、受信を開始しようとしている受信チャンネルおよび前記カバー部の開き角度に対応するノイズキャンセル用パラメータを前記パラメータテーブルから読み出すパラメータ読出手段と、前記パラメータ読み出し手段によって読み出された前記ノイズキャンセル用パラメータを用いて、前記受信信号からノイズ信号を除去するノイズ除去手段と、を備えることを要件とする。
【発明の効果】
【００１２】
開示の装置は、予めチャンネルごとに最適化されたノイズキャンセル用パラメータを用いて、受信信号からノイズ信号を除去するので、基地局から遠く離れた場所で受信信号が減衰して相対的にノイズ信号が過大な状態であっても、ノイズ信号が最適に除去され、受信チャンネルをスキャンして通信を開始することが可能である。また、通信用アンテナが備えられたカバー部の開き角度にも対応付けたノイズキャンセル用パラメータを用いるので、カバーの開き具合によって通信の距離や通信用アンテナの角度が変わる場合に、カバーの開き具合に応じて、最適にノイズを除去することが可能である。
【発明を実施するための最良の形態】
【００１３】
以下に添付図面を参照して、この発明に係る通信装置、ノイズキャンセラ、ノイズ除去方法およびノイズ除去プログラムの実施例を詳細に説明する。
【実施例１】
【００１４】
以下の実施例では、実施例１に係る通信装置の概要および特徴、通信装置の構成および処理の流れを順に説明し、最後に実施例１による効果を説明する。なお、以下では、Ｗ−ＣＤＭＡ、ＷｉＭＡＸ、ＷＬＡＮ、ワンセグ等の無線インタフェースの搭載された携帯電話やノートパソコンに通信装置を適用する例を説明する。
【００１５】
［実施例１に係る通信装置の概要および特徴］
まず最初に、図１を用いて、実施例１に係る通信装置の概要および特徴を説明する。図１は、実施例１に係る通信装置の概要および特徴を説明するための図である。
【００１６】
実施例１の通信装置１０では、複数の受信チャンネルをスキャンした後に通信を開始し、当該通信において受信した受信信号から電波ノイズ源で発生したノイズ信号を除去することを概要とする。そして、この通信装置１０では、ノイズ信号が最適に除去され、受信チャンネルをスキャンして通信を開始する点に主たる特徴がある。
【００１７】
この主たる特徴について具体的に説明すると、図１に示すように、通信装置１０は、予め決められたノイズキャンセル用パラメータであるＩ，Ｑの値を受信チャンネルごとに記憶するＩ，Ｑデジタル値テーブル１２を備える（後に図３を用いて詳述する）。
【００１８】
そして、通信装置１０は、受信チャンネルに対応するノイズキャンセル用パラメータをＩ，Ｑデジタル値テーブル１２から読み出す（図１の（１）参照）。具体的には、通信装置１０の位相振幅制御コントローラ１５は、Ｗ−ＣＤＭＡ受信モジュール１４から受信を開始しようとしている受信チャンネルを示す受信チャンネル情報（図１では、「受信ＣＨ情報」）を受信すると、当該受信チャンネルに対応するＩ，Ｑの値をＩ，Ｑデジタル値テーブル１２から読み出し、位相振幅調整ＩＣ１３に通知する。
【００１９】
続いて、通信装置１０は、読み出されたノイズキャンセル用パラメータを用いて、受信信号からノイズ信号を除去する（図１の（２）参照）。具体的には、通信装置１０の位相振幅調整ＩＣ１３は、ノイズ源（例えば、ＬＳＩ）１７からノイズ信号を拾い、位相振幅制御コントローラ１５から通知されたＩ，Ｑの値を用いて、ノイズ信号の位相と振幅を調整して信号を合成する。その後、位相振幅調整ＩＣ１３は、合成された信号を逆相にして通信用アンテナ１１が受信した受信信号に加算し、受信信号からノイズを除去する。
【００２０】
このように、通信装置１０は、予めチャンネルごとに最適化されたノイズキャンセル用パラメータを用いて、受信信号からノイズ信号を除去するので、上記した主たる特徴のごとく、基地局から遠く離れた場所で受信信号が減衰して相対的にノイズ信号が過大な状態であっても、ノイズ信号が最適に除去され、各受信チャンネルをスキャンして通信を開始することが可能である。
【００２１】
［通信装置の構成］
次に、図２〜図４を用いて、図１に示した通信装置１０の構成を説明する。図２は、実施例１に係る通信装置１０の構成を示すブロック図であり、図３は、Ｉ，Ｑデジタル値テーブルの一例を説明するための図であり、図４は、ノイズの除去について説明するための図である。
【００２２】
図２に示すように、この通信装置１０は、通信用アンテナ１１、Ｉ，Ｑデジタル値テーブル１２、位相振幅調整ＩＣ１３、Ｗ−ＣＤＭＡ受信モジュール１４、位相振幅制御コントローラ１５、ＤＡＣ（Ｄｉｇｉｔａｌ ｔｏ  Ａｎａｌｏｇ  Ｃｏｎｖｅｒｔｅｒ）１６およびＬＳＩ（Ｌａｒｇｅ  Ｓｃａｌｅ  Ｉｎｔｅｇｒａｔｉｏｎ）１７を備える。以下にこれらの各部の処理を説明する。
【００２３】
通信用アンテナ１１は、所定のチャンネルを用いて、基地局から発信される電波を受信信号として受信する。また、通信用アンテナ１１は、ノイズ源であるＬＳＩ１７が放射するノイズ信号も受信する。ＤＡＣ１６ａ、１６ｂは、位相振幅制御コントローラ１５から受信したＩ，Ｑの値をデジタル信号からアナログ信号に変換して位相振幅調整ＩＣ１３に出力する。
【００２４】
Ｉ，Ｑデジタル値テーブル１２は、受信チャンネルごとに予め決められたノイズキャンセル用パラメータであるＩ，Ｑの値を記憶する。例えば、Ｉ，Ｑデジタル値テーブル１２は、図３に示すように、受信チャンネル番号を一意に識別する「アドレス」と、受信チャンネルの番号を示す「受信チャンネル番号」と、ノイズキャンセル用パラメータ「Ｉ」の値と「Ｑ」の値とを対応付けて記憶している。
【００２５】
このＩ，Ｑデジタル値テーブル１２では、予め受信チャンネル毎に最適な「Ｉ」の値と「Ｑ」の値とが定められている。例えば、電波暗室内でも模擬基地局を使ったＢＥＲ（Ｂｉｔ  Ｅｒｒｏｒ  Ｒａｔｅ）が最良となるようにＩ、Ｑの値を定めてもよいし、手動でＩ，Ｑの値を変化させながら各受信チャンネルでのノイズキャンセルが最良になるようにＩ，Ｑの値を定めてもよい。
【００２６】
位相振幅制御コントローラ１５は、受信チャンネルに対応するノイズキャンセル用パラメータをＩ，Ｑデジタル値テーブル１２から読み出す。具体的には、位相振幅制御コントローラ１５は、Ｗ−ＣＤＭＡ受信モジュール１４から受信を開始しようとしている受信チャンネルを示す受信チャンネル情報を読み出すと、当該受信チャンネルに対応するＩ，Ｑの値をＩ，Ｑデジタル値テーブル１２から読み出し、ＤＡＣ１６ａ、１６ｂを介して位相振幅調整ＩＣ１３に通知する。
【００２７】
位相振幅調整ＩＣ１３は、読み出されたノイズキャンセル用パラメータを用いて、受信信号からノイズ信号を除去する。具体的には、位相振幅調整ＩＣ１３は、ＬＳＩ１７からノイズ信号を拾い、位相振幅制御コントローラ１５から通知されたＩ，Ｑの値を用いて、ノイズ信号の位相と振幅を調整して信号を合成する。その後、位相振幅調整ＩＣ１３は、合成された信号を逆相にして通信用アンテナ１１が受信した受信信号に加算し、受信信号からノイズを除去する。
【００２８】
Ｗ−ＣＤＭＡ受信モジュール１４は、各受信チャンネルを高速にスキャンし、通信可能な基地局を検索し、通信用アンテナ１１を介して基地局からの受信信号を受信する。具体的には、Ｗ−ＣＤＭＡ受信モジュール１４は、受信を開始しようとしている受信チャンネルを示す受信チャンネル情報を位相振幅制御コントローラ１５に送信し、位相振幅調整ＩＣ１３によってノイズが除去された受信信号を受信する。
【００２９】
ここで、図４を用いてノイズの除去について具体的に説明する。図４に示すように、Ｗ−ＣＤＭＡ方式おいて、基地局から端末が遠く離れた場所で、適切なノイズの除去を行わなかった場合には、利用可能な受信チャンネルをスキャンしても基地局からのパイロット信号をつかまえられず通信が開始できない状態である。
【００３０】
そこで、通信装置１０は、受信を開始しようとしている受信チャンネル（例えば、受信チャンネル「ＣＨ１」に対応するＩ，Ｑの値（例えば、Ｉ「−６３」、Ｑ「１０２１」）をＩ，Ｑデジタル値テーブル１２から読み出す。そして、通信装置１０は、そのＩ，Ｑの値を用いて、ノイズを除去して、利用可能な受信チャンネルであるかスキャンし、利用可能な受信チャンネルである場合には、その受信チャンネルを用いて通信を開始する。
【００３１】
また、通信装置１０は、利用可能な受信チャンネルでない場合には、次の受信チャンネル（例えば、受信チャンネル「ＣＨ２」に対応するＩ，Ｑの値（例えば、Ｉ「−１２７」、Ｑ「１０１５」）を用いて、ノイズを除去して、上記同様に利用可能な受信チャンネルをスキャンする。その後、通信装置１０は、利用可能な受信チャンネルがあるまで、受信チャンネル「ＣＨ１〜ＣＨｎ」を同様にスキャンする。
【００３２】
［通信装置による処理］
次に、図５を用いて、実施例１に係る通信装置１０による処理を説明する。図５は、実施例１に係る通信装置１０の処理動作を示すフローチャートである。
【００３３】
同図に示すように、通信装置１０の位相振幅制御コントローラ１５は、通信開始指示を受け付けると（ステップＳ１０１肯定）、受信を開始しようとしている受信チャンネル番号をＷ−ＣＤＭＡ受信モジュール１４から読み込み（ステップＳ１０２）、受信チャンネル番号が変化したか（最初の受信チャンネル番号の読み込みである場合には、受信チャンネルが読み込まれたか）判定する（ステップＳ１０３）。その結果、位相振幅制御コントローラ１５は、受信チャンネル番号が変化していない（または、最初の受信チャンネルが読み込まれていない）場合には（ステップＳ１０３否定）、ステップＳ１０２に戻る。
【００３４】
その結果、位相振幅制御コントローラ１５は、受信チャンネル番号が変化した（または、最初の受信チャンネルが読み込まれた）場合には（ステップＳ１０３肯定）、Ｉ，Ｑデジタル値テーブルから受信チャンネル番号に対応するＩ，Ｑを読み出して、ＤＡＣ１６ａ、１６ｂに出力し（ステップＳ１０４）、位相振幅調整ＩＣ１３が受信信号のノイズを除去する。
【００３５】
[実施例１の効果]
上述してきたように、通信装置１０は、予めチャンネルごとに最適化されたノイズキャンセル用パラメータを用いて、受信信号からノイズ信号を除去するので、基地局から遠く離れた場所で受信信号が減衰して相対的にノイズ信号が過大な状態であっても、ノイズ信号が最適に除去され、受信チャンネルをスキャンして通信を開始することが可能である。
【実施例２】
【００３６】
ところで、上記の実施例１では、予め受信チャンネル毎に最適な「Ｉ」の値と「Ｑ」の値とが定められている場合を説明したが、本発明はこれに限定されるものではなく、予め定められた「Ｉ」の値と「Ｑ」の値を変化させてもよい。
【００３７】
そこで、以下の実施例２では、予め定められた「Ｉ」の値と「Ｑ」の値をＢＥＲに応じて、変化させる場合として、図６〜図８を用いて、実施例２における通信装置１０ａの構成および処理について説明する。図６は、実施例２に係る通信装置１０ａが備えるＩ，Ｑデジタル値テーブルの一例を示す図であり、図７は、実施例２に係る通信装置１０ａのノイズ除去処理について説明するための図であり、図８は、実施例２に係る通信装置１０ａの処理手順を説明するためのフローチャートである。
【００３８】
まず最初に、実施例２に係る通信装置１０ａが備えるＩ，Ｑデジタル値テーブルについて説明する。図６に示すように、通信装置１０ａは、実施例１と同様に、予め定められている受信チャンネル毎に「Ｉ」の値と「Ｑ」の値とを記憶している。そして、実施例１とは異なり、実施例２に係るＩ，Ｑデジタル値テーブルは、「Ｉ」の値と「Ｑ」の値とが位相振幅制御コントローラ１５によって書き換えられる。
【００３９】
具体的には、通信装置１０ａの位相振幅制御コントローラ１５は、Ｗ−ＣＤＭＡ受信モジュール１４から受信する通信品質情報（例えば、「ＢＥＲ」）を用いて、通信品質情報が最良となるように変化させながらＤＡＣ１６ａ、１６ｂに出力し、最適化された「Ｉ」の値と「Ｑ」の値をテーブルの受信チャンネル番号に相当する箇所（図６の例では、受信チャンネル番号「４」）に書き込む。
【００４０】
つまり、図７に示すように、実験的に予め定めた書き換え前のＩ，Ｑの値では、到達できなかった遠い距離での通信開始が可能となるとともに、通信速度も最初から高速となる。なお、通信品質情報として、ＢＥＲ以外にも、アンテナの本数等に応じて、「Ｉ」の値と「Ｑ」の値を変化させてもよい。
【００４１】
次に、図８を用いて実施例２に係る通信装置１０ａによる処理を説明する。実施例２のアクセス制御処理は、図５に示した実施例１に係る通信装置１０ａによる処理と比較して、Ｉ，Ｑデジタル値テーブルにおける「Ｉ」の値と「Ｑ」の値とを書き換える点が相違する。
【００４２】
すなわち、図８に示すように、通信装置１０ａの位相振幅制御コントローラ１５は、実施例１と同様に、Ｉ，Ｑデジタル値テーブルから受信チャンネル番号に対応するＩ，Ｑを読み出した後（ステップＳ２０４）、Ｗ−ＣＤＭＡ受信モジュール１４から受信するＢＥＲが最良となるように、Ｉ，Ｑの値を変化させながらＤＡＣ１６ａ、１６ｂに出力する（ステップＳ２０５）。
【００４３】
そして、位相振幅制御コントローラ１５は、最適化されたＩ，Ｑの値をＩ，Ｑデジタル値テーブルの受信チャンネル番号に相当する部分に書き込み（ステップＳ２０６）、次回の基地局のパイロット信号をスキャンする際に、書き換えられたＩ，Ｑの値を使用する。
【００４４】
このように、上記の実施例２では、実験的に予め定めた書き換え前のＩ，Ｑの値では、到達できなかった遠い距離での通信開始が可能となるとともに、通信速度も最初から高速とすることが可能である。
【実施例３】
【００４５】
さて、これまで本発明の実施例について説明したが、本発明は上述した実施例以外にも、種々の異なる形態にて実施されてよいものである。そこで、以下では実施例３として本発明に含まれる他の実施例を説明する。
【００４６】
（１）ノイズキャンセル用パラメータ
上記の実施例１では、ノイズキャンセル用パラメータであるＩ，Ｑの値が受信チャンネルごとに予め設定する場合を説明したが、本発明はこれに限定されるものではなく、カバーの開き具合に応じたＩ，Ｑの値を設定してもよい。
【００４７】
つまり、例えば、携帯電話やＰＣにおいて、折りたたみ式である場合に、カバー部分に通信用アンテナが設けられている場合があり、カバーの開き具合によって通信の距離や通信用アンテナの角度が変わる。そのため、図９に示すように、カバーの開き具合（カバーの開いている角度）に対応付けて、Ｉ，Ｑの値をＩ，Ｑデジタル値テーブルに設定する。
【００４８】
このように、カバーの開き具合によって通信の距離や通信用アンテナの角度が変わる場合に、カバーの開き具合に応じて、最適にノイズを除去することが可能である。
【００４９】
（２）システム構成等
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、位相振幅調整ＩＣ１３と位相振幅制御コントローラ１５を統合してもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００５０】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。例えば、Ｉ，Ｑデジタル値テーブル１２の値は、任意に変更してもよい。
【００５１】
（３）プログラム
ところで、上記の実施例で説明した各種の処理は、あらかじめ用意されたプログラムをコンピュータで実行することによって実現することができる。そこで、以下では、図１０を用いて、上記の実施例と同様の機能を有するプログラムを実行するコンピュータの一例を説明する。図１０は、ノイズ除去プログラムを実行するコンピュータを示す図である。
【００５２】
同図に示すように、通信装置としてのコンピュータ６００は、ＨＤＤ６１０、ＲＡＭ６２０、ＲＯＭ６３０およびＣＰＵ６４０をバス６５０で接続して構成される。
【００５３】
そして、ＲＯＭ６３０には、上記の実施例と同様の機能を発揮する通信装置、つまり、図１０に示すように、ノイズ除去プログラム６３１が予め記憶されている。そして、ＣＰＵ６４０が、ノイズ除去プログラム６３１をＲＯＭ６３０から読み出して実行することで、図１０に示すように、ノイズ除去プログラム６３１は、ノイズ除去プロセス６４１として機能するようになる。
【００５４】
また、ＨＤＤ６１０には、図１０に示すように、Ｉ，Ｑデジタル値テーブル６１１が設けられる。なお、Ｉ，Ｑデジタル値テーブル６１１は、図２に示したＩ，Ｑデジタル値テーブル１２に対応する。そして、ＣＰＵ６４０は、Ｉ，Ｑデジタル値テーブル６１１に対してデータを登録するとともに、Ｉ，Ｑデジタル値テーブル６１１からＩ，Ｑデジタル値データ６２１を読み出してＲＡＭ６２０に格納し、ＲＡＭ６２０に格納されたＩ，Ｑデジタル値データ６２１に基づいて処理を実行する。
【００５５】
（付記１）複数の受信チャンネルをスキャンした後に通信を開始し、当該通信において受信した受信信号から電波ノイズ源で発生したノイズ信号を除去する通信装置であって、
各受信チャンネルに対応して、当該受信チャンネルごとに予め決められたノイズキャンセル用パラメータをパラメータテーブルに格納するパラメータ格納手段と、
受信を開始しようとしている受信チャンネルに対応するノイズキャンセル用パラメータを前記パラメータテーブルから読み出すパラメータ読出手段と、
前記パラメータ読み出し手段によって読み出された前記ノイズキャンセル用パラメータを用いて、前記受信信号からノイズ信号を除去するノイズ除去手段と、
を備えることを特徴とする通信装置。
【００５６】
（付記２）前記パラメータテーブルに格納されたノイズキャンセル用パラメータを通信エラーが少なくなるように、更新するパラメータ更新手段をさらに備えることを特徴とする付記１に記載の通信装置。
【００５７】
（付記３）前記パラメータ格納手段は、通信用アンテナが備えられたカバー部の開き具合に対応付けて、前記受信チャンネルごとに予め決められたノイズキャンセル用パラメータをパラメータテーブルに格納することを特徴とする付記１または２に記載の通信装置。
【００５８】
（付記４）複数の受信チャンネルをスキャンした後に通信を開始し、当該通信において受信した受信信号から電波ノイズ源で発生したノイズ信号を除去するノイズキャンセラであって、
各受信チャンネルに対応して、当該受信チャンネルごとに予め決められたノイズキャンセル用パラメータをパラメータテーブルに格納するパラメータ格納手段と、
受信を開始しようとしている受信チャンネルに対応するノイズキャンセル用パラメータを前記パラメータテーブルから読み出すパラメータ読出手段と、
前記パラメータ読出手段によって読み出された前記ノイズキャンセル用パラメータを用いて、前記受信信号からノイズ信号を除去するノイズ除去手段と、
を備えることを特徴とするノイズキャンセラ。
【００５９】
（付記５）複数の受信チャンネルをスキャンした後に通信を開始し、当該通信において受信した受信信号から電波ノイズ源で発生したノイズ信号を除去するノイズ除去方法であって、
各受信チャンネルに対応して、当該受信チャンネルごとに予め決められたノイズキャンセル用パラメータをパラメータテーブルに格納するパラメータ格納ステップと、
受信を開始しようとしている受信チャンネルに対応するノイズキャンセル用パラメータを前記パラメータテーブルから読み出すパラメータ読出ステップと、
前記パラメータ読出ステップによって読み出された前記ノイズキャンセル用パラメータを用いて、前記受信信号からノイズ信号を除去するノイズ除去ステップと、
を含んだことを特徴とするノイズ除去方法。
【００６０】
（付記６）複数の受信チャンネルをスキャンした後に通信を開始し、当該通信において受信した受信信号から電波ノイズ源で発生したノイズ信号を除去するノイズ除去方法をコンピュータに実行させるノイズ除去プログラムであって、
各受信チャンネルに対応して、当該受信チャンネルごとに予め決められたノイズキャンセル用パラメータをパラメータテーブルに格納するパラメータ格納手順と、
受信を開始しようとしている受信チャンネルに対応するノイズキャンセル用パラメータを前記パラメータテーブルから読み出すパラメータ読出手順と、
前記パラメータ読出手順によって読み出された前記ノイズキャンセル用パラメータを用いて、前記受信信号からノイズ信号を除去するノイズ除去手順と、
をコンピュータに実行させることを特徴とするノイズ除去プログラム。
【産業上の利用可能性】
【００６１】
以上のように、本発明に係る通信装置、ノイズキャンセラ、ノイズ除去方法およびノイズ除去プログラムは、複数の受信チャンネルをスキャンした後に通信を開始し、当該通信において受信した受信信号から電波ノイズ源で発生したノイズ信号を除去する場合に有用であり、特に、ノイズ信号を最適に除去し、受信チャンネルをスキャンして通信を開始することに適する。
【図面の簡単な説明】
【００６２】
【図１】実施例１に係る通信装置の概要および特徴を説明するための図である。
【図２】実施例１に係る通信装置の構成を示すブロック図である。
【図３】実施例１に係る通信装置が備えるＩ，Ｑデジタル値テーブルの一例を示す図である。
【図４】実施例２に係る通信装置のノイズ除去処理について説明するための図である。
【図５】実施例１に係る通信装置の処理動作を示すフローチャートである。
【図６】実施例２に係る通信装置が備えるＩ，Ｑデジタル値テーブルの一例を示す図である。
【図７】実施例２に係る通信装置のノイズ除去処理について説明するための図である。
【図８】実施例２に係る通信装置の処理手順を説明するためのフローチャートである。
【図９】実施例３に係る通信装置が備えるＩ，Ｑデジタル値テーブルの一例を示す図である。
【図１０】ノイズ除去プログラムを実行するコンピュータを示す図である。
【図１１】従来の技術について説明するための図である。
【図１２】従来の技術について説明するための図である。
【符号の説明】
【００６３】
１０、１０ａ  通信装置
１１  通信用アンテナ
１２  Ｉ，Ｑデジタル値テーブル
１３  位相振幅調整ＩＣ
１４  Ｗ−ＣＤＭＡ受信モジュール
１５  位相振幅制御コントローラ
１６ａ、１６ｂ  ＤＡＣ
１７  ＬＳＩ
【図１】
0005311831.tif 000002
【図２】
0005311831.tif 000003
【図３】
0005311831.tif 000004
【図４】
0005311831.tif 000005
【図５】
0005311831.tif 000006
【図６】
0005311831.tif 000007
【図７】
0005311831.tif 000008
【図８】
0005311831.tif 000009
【図９】
0005311831.tif 000010
【図１０】
0005311831.tif 000011
【図１１】
0005311831.tif 000012
【図１２】
0005311831.tif 000013